(57)【特許請求の範囲】
【請求項１】
紙幣の端により画定される表面を備えている紙幣束を提供するステップと、束の表面を照らすステップと、光センサを使用することによって、束の二次元画像を提供するステップと、分析の結果を表す出力信号を提供するステップとを備えている紙幣束分析方法において、束が、照らすステップより前に、破壊的操作を与えられ、破壊的操作によって、紙幣束の側または端に、清浄表面が得られ、その清浄表面が紙幣束を分析する際に使用され、二次元画像の提供が、画像がy-方向において拡大され、y-方向が紙幣束の高さとして定義されるように行われることを特徴とする紙幣束分析方法。
【請求項２】
請求項１の方法であって、画像がx-方向において縮小され、x-方向は、紙幣束の幅として定義されること特徴とする方法。
【請求項３】
請求項１または２の方法であって、束の二次元画像を提供しかつ出力信号を得るステップが、ピクセルのマトリックスを使用して、画像処理操作を行うことを特徴とする方法。
【請求項４】
請求項３の方法であって、画像処理操作を行うステップが、ピクセルのマトリックスの提供を備えており、y−方向のピクセル数が、x-方向のピクセル数より大きいことを特徴とする方法。
【請求項５】
請求項４の方法であって、y-方向のピクセル数が、x-方向のピクセル数より少なくとも３倍大きいことを特徴とする方法。
【請求項６】
請求項４の方法であって、y-方向のピクセル数が、x-方向のピクセル数より好ましくは少なくとも５倍大きいことを特徴とする方法。
【請求項７】
請求項３〜６のいずれか１つの方法であって、画像処理操作を行うステップが、光学濃度に対応する数値をピクセルに与えるステップと、光学濃度のしきい値を決定すること、しきい値より高い光学濃度の値を有するピクセルに優先権を与える一方、優先権をもつピクセルの周囲のピクセルの濃度分布の第二次導関数を決定するステップと、優先権をもつピクセルを備えたy-方向の列において、ピクセルの濃度の平均値を決定するステップと、このように決定された平均値の展開および標準偏差を決定するステップと、しきい値より高い平均値の数の和である出力信号を提供するステップとを備えていることを特徴とする方法。
【請求項８】
請求項１〜７のいずれか１つの方法であって、分析が、紙幣束の真偽、紙幣の数、価値および適性の少なくともいずれか１つのパラメータの決定を備えていることを特徴とする方法。
【請求項９】
請求項１〜８のいずれか１つの方法であって、紫外線の照射が、紙幣束の一方の側に行われることを特徴とする方法。
【請求項１０】
請求項１〜８のいずれか１つの方法であって、赤外線の照射が、紙幣束の一方の側に行われることを特徴とする方法。
【請求項１１】
請求項８〜１０のいずれか１つの方法であって、紙幣束の一方の側の画像が、光センサとして高解像度のカメラを使用することによって得られ、その画像が、紙幣束の真偽を決定するために、適切なデータ処理ユニットを用いて、処理されることを特徴とする方法。
【請求項１２】
請求項８〜１０のいずれか１つの方法であって、紙幣束の一方の側の画像が、光センサとして高解像度のカメラを使用することによって得られ、その画像が、紙幣束の数を決定するために、適切なデータ処理ユニットを用いて、処理されることを特徴とする方法。
【請求項１３】
請求項８〜１０のいずれか１つの方法であって、紙幣束における紙幣の数の決定が、大入射角度で、遠赤外線を束の一方の側に照射しかつ反射時間を測定することによって行われることを特徴とする方法。
【請求項１４】
請求項８〜１０のいずれか１つの方法であって、紙幣束の一方の側の画像が、光センサとして高解像度のカメラを使用することによって得られ、その画像が、紙幣束の素性および／または価値を決定するために、適切なデータ処理ユニットを用いて処理されることを特徴とする方法。
【請求項１５】
請求項８の方法であって、紙幣束の適性が、紙幣束の圧縮性を測定することにより決定されることを特徴とする方法。
【請求項１６】
請求項８の方法であって、紙幣束の適性が、紙幣束の音響抵抗を測定することにより決定されることを特徴とする方法。
【請求項１７】
紙幣の端により定義される表面を備えた、紙幣束を分析するための装置であって、表面を照射する光源と、二次元画像を提供するための光センサと、二次元画像を処理して、分析の結果を表す出力信号を提供するための画像処理ユニットとを備えている紙幣束分析装置において、装置が、さらに、切断要素を備えており、それは、z-方向に対して直交する平面において、紙幣束から、一定量の材料を切断し、その切断面が、照射するステップの表面として使用され、光センサが、y-方向において拡大される二次元画像を提供し、y-方向は、紙幣束の高さとして定義されることを特徴とする紙幣束分析装置。
【請求項１８】
請求項１７の紙幣束分析装置であって、光センサが、x-方向において縮小される二次元画像を提供し、x-方向が、紙幣束の幅として定義されることを特徴とする紙幣束分析装置。
【請求項１９】
請求項１７または１８の紙幣束分析装置であって、光センサが、多くの個々の光センサを備えており、光センサが、各々紙幣の照らされた束を部分的に受け入れるように使用されるミラー構造を形成していることを特徴とする紙幣束分析装置。
【請求項２０】
請求項１９の紙幣束分析装置であって、ミラー構造が、半透ミラーを含む多くのサブミラーから形成されていることを特徴とする紙幣束分析装置。
【請求項２１】
請求項１９または２１の紙幣束分析装置であって、センサが、x−、y-、およびz-方向に個々に移動可能であることを特徴とする紙幣束分析装置。
【請求項２２】
請求項１７の紙幣束分析装置であって、光センサが、走査式カメラであり、走査式カメラが、x-方向において紙幣束の走査をすることを特徴とする紙幣束分析装置。
【発明の詳細な説明】
【技術分野】
【０００１】
この発明は、平坦物スタック分析装置と同様に平坦物スタック分析方法に関する。この発明は、とくに、紙幣束を分析する装置および方法に関係し、その方法は、紙幣の端により画定される少なくとも一つの表面を備えている紙幣束を提供するステップと、束の表面を照らすステップと、光センサを使用することによって、束の二次元画像を提供するステップと、分析の結果を表す出力信号提供するステップとを備えている。
【背景技術】
【０００２】
特許文献１から、プラスチック材のシート状基質および基質の2つの外面に適用された不透明層を含む紙幣の特徴を決定する方法は、公知である。そこから公知である方法は、不透明層が基質「内」放射を導いて、基質に照射するステップを備えており、その結果、基質の端での放射が検出され、その後、強度または波長のような、１またはそれ以上の放射の特徴が分析される。その特許文献１に記載されている方法は、所謂「ポリマー紙幣」に適しているだけであり、その理由は、光ビームが基質内に閉じ込められなければならないということである。
【０００３】
特許文献２から、単一の紙葉を紙幣束から切り離す方法は、公知であり、そこにおいて、束の厚みは、密度センサにより決定される。密度は、紙幣束が回収手段に対して押圧される圧力の基準であると主張される。そこから公知である方法は、紙幣束から単一の紙幣を取り除くことを目的とする。しかしながら、紙幣束は、全体として、そのようにしては、分析されない。
【０００４】
導入部で言及した方法は、また、特許文献３から公知である。そこから公知であるスタックされた紙幣を計数する方法は少なくとも一つの光センサの使用を必要とし、それは、紙幣束の少なくとも１つの表面に同時にそう少なくとも２つの分離したコラムの像を造り、そのコラムは、紙幣の表面と直交する方向にのびている。光センサにより出力される信号に基づいて、例えば2つの画像を比較することによって、束の紙幣の数の認識は、得られる。この種の方法の1つの欠点は、紙幣束が2つの異なる位置でいわゆるコラム・イメージングを受けなければならないという事実である。束が折られたか、裂けているか、強く皺になった紙幣を含む場合、これによって、結果が不正確になる。
【０００５】
特許文献４から、単一の紙幣を２つの異なる波長の紫外線で照らす方法は、公知であり、そこにおいて、探知器が第1の波長バンドの範囲内で第１の波長を有する紙幣から反射光を検出するために、そして、前記第１の波長バンドと異なる第２の波長バンドの範囲内で第２の波長を有する紙幣から蛍光を検出するために用いられ、前記紫外線光を浴びるときに、偽物の目的物が蛍光を発する波長を前記第２の波長バンドが含んでいる。この種の方法は単一の紙幣の真偽性を検査することに限られているだけであり、それは、紙幣の大量が検査されることになっている場合、各々の紙幣が真偽性のこの種の確認を別々に受けなければならないことを意味する。
【０００６】
紙幣は、真偽性を含んでおり、それは、個々の国、領域またはゾーンによって、何枚かの紙幣の幾つかの真偽性から、例えば、ユーロ紙幣の20以上の真偽性まで異なる。この種の真偽性は、ユーザ、商業的金融機関および中央銀行で異なるレベルで紙幣の真偽を決めることを可能にする。真偽確認は、紙幣の受領に応じて、一般に起こる。中央銀行で、紙幣の真偽性の確認は、所謂、「単一紙幣」選別を行う、所謂、紙幣選別器により行われる。これは、通常100,500または1000の単位の束で供給される全ての紙幣が当初は「束でない」ことであらねばならず、これは、コストが掛かることを意味する。その後、一連の探知器およびセンサを通して紙幣を担持するいわゆる選別器によって、それらの値またはそれらの物理的条件にかかわりなく、束ねられていない紙幣は、個別に機械的に検査される。確認は、多くの真偽チェックを備えており、それは、紙幣を使う能力の現在の条件または適性を決定するための各種の測定値と同様に、機械により実行されうる。
【０００７】
低金額紙幣は、世界的に流通している紙幣の総量の約40%を構成する。上記の通りの「単一貨幣」選別プロセスは、高い選別経費および（しばしば）これらの紙幣の劣った条件の観点から、低金額紙幣を扱うための望ましい解決を提供しない。さらに、処理される紙幣の物理的条件が劣っている場合、選別器の効率は強く減少する。低金額紙幣の品質は、通常、高い金額紙幣のそれより劣っている。このことは、低金額紙幣の取扱いコストが、この種の紙幣が表す金額に関して、不相応に高いことを意味する。加えて、低金額紙幣はまず偽造されず、その結果、高い選別経費は国家の安全を危うくする事態を上回る。
【特許文献１】国際出願ＷＯ 01/50426
【特許文献２】米国特許No.6,182、962
【特許文献３】米国特許No.5,534、690（対応欧州特許番号0 805 992）
【特許文献４】米国特許No.5,918、960
【発明の開示】
【発明が解決しようとする課題】
【０００８】
この発明の目的は、紙幣を分析するための方法および装置を提供することにあり、その方法は、高速で大きな精度で紙幣の処理を行うことを可能にする。
【０００９】
この発明の他の目的は、紙幣を分析するための方法および装置を提供することにあり、それは、ローコストで低金額紙幣を処理することを可能にする。
【課題を解決するための手段】
【００１０】
導入部で言及したこの発明は、二次元画像の提供が、画像がy-方向において拡大され、y-方向が紙幣束の高さとして定義されるように行われることを特徴とするものである。  特別な実施例において、画像がx-方向において縮小され、x-方向は、紙幣束の幅として定義される。
【００１１】
１またはそれ以上の上記目的は、この種の方法を用いて達成され、そこにおいて、いわゆる歪み性（anamorphous）画像が、紙幣の全ての束の一方の側にできる。
【００１２】
紙幣は、方形の平坦物であると考慮され、これは、4つの側または端、2つの長辺または端および2つの短辺または端に囲まれた上側および下側を有している。歪み性画像は、短辺および長辺の双方の中でつくられうる。用語「高さ」は、紙幣束の距離また長さを意味し、それは、束またはスタックに含まれる紙幣の数に依存する。紙幣の数が増加するときに、「高さ」またはy-方向の長さが比例して増加するが、幅またはx-方向の長さは同じままであり、その幅は、紙幣の短辺または長辺側の大きさであると考慮される。であるから、この発明を用いて、紙幣束は、横向姿勢（上側および下側が支持面と平行）および直立姿勢（上側および下側が支持面に対して直交）のどちらでも、分析しうる。
【００１３】
望ましくは、束の二次元画像を提供しかつ出力信号を得るステップが、ピクセルのマトリックスを使用して、画像処理操作を行うことであり、とくに、画像処理操作を行うステップが、ピクセルのマトリックスの提供を備えており、y−方向のピクセル数が、x-方向のピクセル数より大きいことである。
【００１４】
分析の高度な精度を得るために、y-方向のピクセル数が、x-方向のピクセル数より少なくとも３倍大きく、より特別には、y-方向のピクセル数が、x-方向のピクセル数より好ましくは少なくとも１０倍大きいことである。
【００１５】
画像処理操作を行うステップは、光学濃度に対応する数値をピクセルに与えるステップと、光学濃度のしきい値を決定すること、しきい値より高い光学濃度値を有するピクセルに優先権を与える一方、その周囲のピクセルの濃度プロフィルのいわゆる第二次導関数を決定するステップと、y-方向の列のピクセルのための濃度の平均値を決定し、その列は優先権をもつ１またはそれ以上のピクセルを有しているステップと、このように決定された平均値の展開および標準偏差を決定するステップと、しきい値より高い平均値の数値の和である出力信号を提供するステップとを備えている。この分析の方法は、この明細書において、より詳細に説明される。用語「第二次導関数」は、変化の決定を意味することと理解される（ピクセルおよびその周囲のピクセルの濃度値の増加/減少）。用語「第一次導関数」は、最大/最低限の決定を意味することと理解される。
【００１６】
分析の特別な方法は、紙幣束が機械的に損なわれていないままである方法である。事実、このことは、紙幣束が破壊的な動作を受けておらず、その結果、例えば、紙幣束はこの種の分析を受けた後に再流通に適していることを意味する。
【００１７】
特定実施例において、しかしながら、束が、照らすステップより前に、１またはそれ以上の破壊的な動作に受けるように分析を行うことが、好ましくてもよい。ある種の実施形態では、一方では、分析は、好ましくは、束を機械的に損なわれないままにして、その上に破壊的な動作を実行することの組合せを備えている。
【００１８】
この種の破壊的な動作は、紙幣束の、１またはその以上の側または端が、機械的動作を受けて、１またはその以上の清浄表面が得られ、その清浄表面が紙幣束を分析する際に使用され、例えば、切断要素によって、いわゆる清浄切断面は紙幣束の上に形成され、その清浄切断面は紙幣束の切り口である。その後、紙幣束およびその中に含まれる個々の紙幣の多くの特徴は、その切り口に基づいて決定されうる。紙幣束の大きさが許容範囲内で切断される場合、切断紙幣は再流通に適している。
【００１９】
この明細書において、分析は、以下のパラメータ、すなわち、紙幣束の真偽、紙幣の数、価値および適性の１またはそれ以上の決定を備えている。
【００２０】
紙幣束の真偽の決定は、紙幣束の１またはそれ以上の側に破壊的な動作を実行することであり、その結果、１またはそれ以上の清浄表面は得られ、そこにおいて、切断面は、紫外線による照射を受ける。紙幣は、原料として一般に綿の繊維または綿のけばを含むので、紫外線下の蛍光の欠如は、通常、真偽性を構成する。特別な実施例において、一方では、紙幣束の切断面にヨウ素の線を提供することも可能であり、その場合、茶色の変色がヨウ素を提供した基質が澱粉を接着された紙であることを示すであろう。そのような結果は紙幣が偽であることを意味する。その理由は、ヨウ素で処理されたときに、綿の基質はいかなる変色も呈しないからである。多くの合成物が、綿の基本的材料、例えば、硝酸カルシウム、にがりおよびクロロ亜鉛を色づけるために用いられることが可能である。
【００２１】
そのような真偽性の決定は、また、紙幣束の一方の側に赤外線を放射することにより起こることができ、好ましくは、照射を受ける側が破壊的な動作によって得られた切断面である。
【００２２】
他の実施例によれば、高解像度のカメラを使用して、紙幣束の一方の側の像を得ることが望ましく、その像は、束の素性および／または真偽を決定するために、適切なデータ処理ユニットを用いて処理される。しかしながら、紙幣のＥモジュールの測定、Ｘ線蛍光に反応する所謂マーカーの存在の決定による真偽性を決定することは、また、可能である。  多くの紙幣は、基質に所謂セキュリティ・フィラメントを備えている。例えば、切断面を形成することによって、紙幣束が破壊的な動作を受けるときに、セキュリティ・フィラメントは、断面において、基質の中央に置かれて、断面図では検出されるが、平面では検出されない。この種のセキュリティ・フィラメントの存在は、認識アルゴリズムと結合する所謂高解像度またはCCD-カメラを使用して、切断面を調べることにより確かめられる。
【００２３】
紙幣束が破壊的な動作、例えば切断面の形成を受けた場合、高解像度のカメラを使用して、紙幣束の一方の側の像を得ることは可能であり、紙幣束に含まれる紙幣の数を決定するために、その画像は適切なデータ処理ユニットを用いて処理される。額面金額単位の決定は、また、紙幣に存在するセキュリティ・フィラメントを加熱して、マイクロ波放射線を使用して、その後赤外スペクトルを分析することにより行いうる。
【００２４】
高解像度カメラまたは所謂CCD-カメラを用いて、紙幣用紙/空気の移り変りを登録することは可能であり、その移り変りは、認識アルゴリズムによって分析されかつ定量化される。認識アルゴリズムは、紙幣の適性を、束の個々の紙幣間の隙間および移り変りの大きさと関連づける。特別な実施例において、紙幣束が機械的にそのなままであるように、紙幣束における紙幣の数の決定をすることができ、その場合、紙幣の数は、様々な方向から遠赤外（THz）照明を束に照射して、その後、時間の関数として、短いTHzパルスの反射を登録することにより決定される。
【００２５】
紙幣束の値を決定することを可能とするために、特別な実施例において、高解像度カメラを使用して、紙幣束の一方の側の像を得ることは可能であり、そこにおいて、それは、画像は適切なデータ処理ユニットを用いて処理され、そこにおいて、紙幣束は、破壊的な動作、特に切断面の形成を受ける。
【００２６】
この種の高解像度カメラ、特に、所謂はCCD-カメラを用いて、断面における光学濃度の相違は登録され、そして、紙幣が正しい金額をもっているかどうかは認識アルゴリズムにより決定されうる。
【００２７】
望ましくは、紙幣束の圧縮性は、紙幣束の適性を決定するために測定される。
【００２８】
事実、適性は、紙幣の皺または折り目の数に依存し、そして、本出願人は、汚れて皺になった紙幣のスタック高さが、流通しない、清浄紙幣のスタックの高さより大きいことを見出した。このように、その圧縮性を測定することによって、紙幣束の適性を決定することが可能である。
【００２９】
特別な実施例において、しかしながら、紙幣束の音響抵抗を測定することによって、紙幣束の平均適性を決定することは、また、可能であり、その場合、音波が様々な位置で紙幣束に通過させられる。
【００３０】
特定の実施態様において、さらに、個々の紙幣または多数の紙幣の適性を、そのような紙幣における音波の伝播に基づいて決定することが、好ましい。紙幣を通過する異なる強度値および位置での反射および伝達測定値を用いて、最大音響抵抗値を決めることは、可能なようである。その最大値は、空気包含の最大量を示し、それは、従って、皺および折り目を最高の数をもつ紙幣に対応する。このように、所謂超音波は、紙幣束において発生させられ、その波の速度および減衰は紙幣束の機械的性質で決定される。このように、紙幣束の非破壊検査は、それの適性を決定するためになされうる。
【００３１】
しかしながら、所謂切断面が得られるように、紙幣束を破壊的な動作を受けさせることは、また、可能であり、その場合、音響パルスがそのような切断面上にレーザパルスによって発生させられ、そして、紙幣内のそのパルス伝播速度が正確に決定され、その大きさが銀行券の確実性を示す。しかしながら、注意すべきは、新しく流通してない紙幣において、その伝搬速度が最大値を持っている点である。流通は、紙幣に皺をもたらし、より密度の高くない繊維構造を示めさせるであろう。このように、伝搬速度は減少させられ、そして、超音波の伝搬速度の計測値はこのように紙幣の適性の尺度となるであろう。
【００３２】
この発明は、さらに、紙幣束を分析するための装置に関し、それは、紙幣の端により画定される少なくとも１つの表面を備えた、紙幣束を分析するための装置であって、表面を照射する光源と、二次元画像を提供するための少なくとも一つの光センサと、二次元画像を処理して、分析の結果を表す出力信号を提供するための画像処理ユニットと備えている紙幣束分析装置において、光センサが、y-方向において拡大される二次元画像を提供し、y-方向は、紙幣束の高さとして定義されるものである。
【００３３】
特に好ましくは、光センサが、x-方向において縮小される二次元画像を提供し、x-方向が、紙幣束の幅として定義されることである。この装置は、ディスインテグレータ（粉砕器）または独立型機械として、選別器と整列して機能しうる。
【００３４】
特別な実施例において、光センサが、多くの個々の光センサを備えており、光センサが、各々紙幣の照らされた束を部分的に受け入れるように使用されるミラー構造を形成しており、ミラー構造が、多くのサブミラー、とくに、半透ミラーから形成されている。
【００３５】
不正確で望ましくない湾曲を予防するために、センサは、x-、y-およびz-方向において、好ましくは個々に移動可能である。それに加えて、光センサは走査式カメラであってもよく、その走査式カメラは、x-方向の紙幣束の走査をする。
【００３６】
所謂切断面を得るために、装置は、さらに、切断要素を備えており、それは、z-方向に対して直交する平面において紙幣束から、一定量の材料を取り除き、切断面が、照射するステップの表面として使用される。切断面の品質は、切断要素の鋭さに関連がある。切断面の増加の輝きは、切断要素の減少する品質の表示である。特定実施例において、したがって、輝き、すなわち、輝きインジケータを測定するための手段を使用することが望ましい。
【００３７】
歪み性画像の場合、画像のスケールは、x-およびy-方向において、異なる。数、真偽、適性および単位名が紙幣束の短辺によって決定されるときに、個々の紙幣間の基質および移り変りの特性を検討することは、第１に重要である。紙幣の高さは、より重要でない。短辺の歪み性画像は、束をy-方向により大きいスケールで表示し（そして、個々の紙幣の厚みに、より多くのピクセルを与える）そして、x-方向により小さいスケールで表示することを可能にする。
【発明を実施するための最良の形態】
【００３８】
この発明の実施の形態を図面を参照しながらつぎに説明する。
【００３９】
束の短辺（または長辺）の点検のための歪み性画像の原理は、以下で説明される。
【００４０】
調べられる束（紙幣は、横向姿勢においてある）は、100,500または1000枚の紙幣と関係している高さを有し、フレームの中に締付られており、光学センサーが束の短辺を走査する。照明手段は、その短辺側の拡散光照明を提供する。続いて、レンズ構造がその短辺側をセンサの列の上に映す。
【００４１】
紙幣の厚さおよびその紙幣の間の移り変りについてのより多くの情報を集めることは、望ましい。経験的データは、約25ピクセルが紙幣の0.1mmの厚みを示すために必要なことを示す。500枚の紙幣束の短辺は、約60mmの高さおよび約75mmの幅を有する。垂直方向において、前記60mmは約12,500ピクセル（500x25）からなり、そして、水平方向において、前記75mmは約1000ピクセルまで減少させられなければならない。7x7μmのオーダのピクセル大きさを考慮して、これは、60mmから87.5mm（ファクター1.45）までの拡大、75mmから7mm（ファクター0.09）までの減少を意味する。歪み性画像割合は、その場合ほぼ16である。例えば、垂直方向に拡大されて、その後センサに映される2つのシリンダレンズによって、短辺は、水平方向において、減少させられている。それぞれ1000×1000ピクセルのセンサの数（例えば12以上）への分割は、望ましい。
【００４２】
サブミラーは、連続して配置されたセンサ上の投影画像の分割を提供する。連続して配置される用語は、例えば、短辺の上の10mmが左側頂部センサ上に、第２の10mmが右側頂部センサ上に、第3の10mmが中間のセンサ上の等にそれそれと映されることを意味すると理解される。センサは高精度でもって個々に移動でき、そして、それらは各々に関して、そして、束に関して機械的に調整されうる。その運動は、x-、y-および z-方向において行われうる。さらに、また、センサは、表示面のわずかな湾曲を相殺するために、小角度で回転しうる。
【００４３】
このように歪み性画像は、束の短辺の画像よりなる。勿論、必要ならば゛束の長辺の画像を提供することも、可能である。
【００４４】
拡大ファクター ＜２の場合、個々の紙幣の大きさの相違によって生じる被写界深度問題は、制御可能である。束が側部が鮮明または焦点の合った画像を得ることが難しいような低品質の紙幣を含む場合、束は切断されて、清浄切断面が提供されるであろう。このように形成された断片は、束および照明要素間に配置された吸入手段によって、吹きつけられるか、吸入される。そのカットは、例えば、0.25mmのステップで行われる。ステップが紙幣の切断に耐える範囲内である場合、紙幣は再流通に回されうる。ステップが切断公差を超えていると、紙幣は流通に回されることはできず、それらはその後破壊されなければならない。切断面の品質は、切断要素、例えば、ナイフの鋭利さに直接的に関係する。切断面の輝きの増加は、ナイフの低品質を示し、換言すれば、輝きインジケータは、ナイフの品質をモニタするように機能する。
【００４５】
垂直方向の約12,500ピクセルおよび水平方向の約1000ピクセルからなる画像を得る他の方法によれば、12,500ピクセルのラインセンサに拡大されている束の短辺の高さについては、束は、走査される。その後、約75μmのステップで水平方向の束を走査することが望ましい。減少した束幅を1000ピクセルのラインセンサに映して、その後、5μmのステップで垂直方向に束を走査することも、また、可能である。このステップの大きさおよび関連する精度の観点において、水平方向のスキャンは、好ましい。
【００４６】
歪み性高解像度カメラまたは走査を経て、束の短辺または長辺は、y-方向のピクセル数がx-光線-方向において、より非常に大きいラスタ（走査線）に変換される。個々のピクセルは光学濃度に対応する信号値を有し、そして、紙幣の数は、この密度のラスタの画像情報処理を経て以下の通りに決定される。図面に示されるラスタは、アルゴリズムを説明するのに役立つ。
【００４７】
図面は、2枚の紙幣間の移り変り間における垂直方向に0.08mmおよび水平方向に1.5mmと測定されている断面を備えており、そこにおいて、1-10のピクセル密度を有する20×20ピクセルが配列されている。
【００４８】
断面は、センサから得られる密度分布の例である。例えば、5のしきい値が、この例でセットされている。勿論、他のしきい値でもよい。全ての密度≧ 5は、陰影をつけられた灰色である。それに続いて、密度≧ 5を有するピクセルおよびその周囲のn x mピクセルが、注目される。その周囲のn x mピクセルでの、x-および y-方向の密度展開、そして、その後、その展開の勾配、すなわち、第二次導関数が決定される。最大勾配変化を示しているピクセルは、相互に接続される。このように得られた水平線は2枚の紙幣の間の分割を示し、そして、計数することは水平線の数を合計することにより行われる。垂直方向におけるnのための最大値は、各々の紙幣厚のためのピクセル数である（1紙幣につき25ピクセルの値は、以前に指示された）。m（水平なピクセル数）のための値は、水平線を形成しているドット数に関連がある。
【００４９】
線は含まれる前に更なる分析を受け、そこにおいて、線が変動しなければならないバンド幅を分析し、2つの連続した相互に連結したピクセル間の線の角度境界が、考慮される。ソフトウェアは、また、不完全な線の数または線間の相互接続の数を考慮しなければならない。それは、カウントの信頼性について何かを言う可能性を提供する。その後の改良は、ソフトウェアに自己学習をさせることである。
【００５０】
束に含まれる紙幣の数を決定するための他の方法は、束の個々の紙幣上におけるテラヘルツ放射線の反射および吸収を測定することである。紙は、mmレンジの波長を有するテラヘルツ放射を、比較的透過する。
【００５１】
束の側部の画像が不十分なコントラストを呈する場合、測定のために、コントラストは、束を曲げることおよび／または側面を色づけることにより強化されうる。
【図面の簡単な説明】
【００５２】
【図１】2枚の紙幣間の移り変り間における垂直方向および水平方向に測定されている断面を示す。
【図１】
0004431832.tif 000002